(57)【要約】【課題】物品等が接触しても意図せずにキャップが開いてしまうことのないキャップ付きコネクタを提供する。【解決手段】キャップ付きコネクタ１１は、コネクタハウジング１３と、コネクタハウジング１３に支持された支持軸３１を中心に回転自在に取り付けられ、相手コネクタ結合面２１を開閉するキャップ１５と、支持軸３１と反対側におけるキャップ１５の開閉端３５に対応してコネクタハウジング１３に設けられ、開閉端３５を係止してキャップ１５を閉止状態に保持するとともに、キャップ１５が開放される方向と同じ引き上げ方向の動作を含む開放操作によって、開閉端３５との係止が解除されるキャップロック１９と、を備える。【選択図】図３
2016207394.tif 000002
【特許請求の範囲】
【請求項１】
コネクタハウジングと、
前記コネクタハウジングに支持された支持軸を中心に回転自在に取り付けられ、前記コネクタハウジングの相手コネクタ結合面を開閉するキャップと、
前記支持軸と反対側における前記キャップの開閉端に対応して前記コネクタハウジングに設けられ、前記開閉端を係止して前記キャップを閉止状態に保持するとともに、少なくとも前記キャップが開放される方向と同じ引き上げ方向の動作を含む開放操作によって前記開閉端との係止が解除されるキャップロックと、
を備えることを特徴とするキャップ付きコネクタ。
【請求項２】
請求項１に記載のキャップ付きコネクタであって、
前記引き上げ方向と反対の方向にキャップロックバネにより弾性付勢された前記キャップロックが、前記キャップロックバネの弾性付勢力に抗して引き上げられた状態から前記引き上げ方向と異なる方向へ開放操作されることによって、前記開閉端との係止が解除されることを特徴とするキャップ付きコネクタ。
【請求項３】
請求項２に記載のキャップ付きコネクタであって、
前記コネクタハウジングには、前記キャップロックを前記引き上げ方向に摺動ガイドするガイド壁が形成されるとともに、前記ガイド壁に離間して前記相手コネクタ結合面と平行なガイドピンが設けられ、
前記キャップロックには、前記引き上げ方向に沿って所定長さ延設されて前記ガイドピンと係合する長穴が形成され、
前記引き上げ方向と反対側における前記長穴の長穴下端部と前記キャップロックのキャップロック下端面との間のガイド壁対向部には、前記ガイド壁と前記ガイドピンのピン中心までの距離を半径とする円弧の内側となる回転規制解除面が形成されることによって、
前記キャップロックは、前記長穴下端部が前記ガイドピンに一致したときに、前記開閉端との係止が解除される方向に回転可能となることを特徴とするキャップ付きコネクタ。
【請求項４】
請求項２又は３に記載のキャップ付きコネクタであって、
前記キャップが、キャップバネによって開放される方向に弾性付勢されることを特徴とするキャップ付きコネクタ。
【発明の詳細な説明】
【技術分野】
【０００１】
本発明は、キャップ付きコネクタに関する。
【背景技術】
【０００２】
相手コネクタとの嵌合面を覆う蓋部（キャップ）がコネクタハウジングに開閉可能に設けられたキャップ付きコネクタが知られている（特許文献１等参照）。
図９に示すように、このキャップ付きコネクタ５０１（同文献では「車両側コネクタ」と称されている。）は、コネクタハウジング５０３に回動可能に装着された蓋部５０５を備える。蓋部５０５は、相手コネクタとの嵌合面を覆う蓋本体５１５と、軸受部５０７とを備える。軸受部５０７の下方部には、バネ収容部（図示略）が形成される。バネ収容部には、ねじりコイルバネ（図示略）が収容される。蓋部５０５は、ねじりコイルバネによって、常に閉止位置から開放位置に向けて付勢された状態となっている。コネクタハウジング５０３の左側取付部５０９には、ロック片５１１がロック片支持軸５１３によって支持される。ロック片５１１は、蓋本体５１５の左側端部を係止することで、ねじりコイルバネによって付勢された蓋部５０５を閉止位置に保持する。
【０００３】
ロック片５１１には、蓋本体５１５との係止状態を解除する押圧操作部５１７が設けられている。この押圧操作部５１７は、ロック用ねじりコイルバネ（図示略）の付勢力に抗して押圧操作することにより、ロック片５１１を保持位置から解除する方向に変位させ、蓋本体５１５とロック片５１１との係止状態を解除する。これにより、蓋部５０５が閉止位置から開放位置に回動されるようになっている。
【先行技術文献】
【特許文献】
【０００４】
【特許文献１】特開２０１２−２２１６１１号公報
【発明の概要】
【発明が解決しようとする課題】
【０００５】
しかしながら、上記した従来のキャップ付きコネクタ５０１は、例えば車室内やトランク内に設けられた場合、不用意に乗員や物品等がロック片５１１に接触し、意図せずに蓋部５０５が開いてしまい、コネクタ嵌合面の端子部が露出してしまう懸念があった。
【０００６】
本発明は上記状況に鑑みてなされたもので、その目的は、物品等が接触しても意図せずにキャップが開いてしまうことのないキャップ付きコネクタを提供することにある。
【課題を解決するための手段】
【０００７】
本発明に係る上記目的は、下記構成により達成される。
（１）  コネクタハウジングと、前記コネクタハウジングに支持された支持軸を中心に回転自在に取り付けられ、前記コネクタハウジングの相手コネクタ結合面を開閉するキャップと、前記支持軸と反対側における前記キャップの開閉端に対応して前記コネクタハウジングに設けられ、前記開閉端を係止して前記キャップを閉止状態に保持するとともに、少なくとも前記キャップが開放される方向と同じ引き上げ方向の動作を含む開放操作によって前記開閉端との係止が解除されるキャップロックと、を備えることを特徴とするキャップ付きコネクタ。
【０００８】
上記（１）の構成のキャップ付きコネクタによれば、キャップが閉止状態となって、コネクタハウジングの相手コネクタ結合面が覆われる。閉止状態となったキャップは、キャップロックによって開閉端が係止されることによって、開放が規制されて閉止状態に保持される。キャップロックは、キャップが開放される方向と同じ引き上げ方向の動作を含む開放操作によって、開閉端との係止が解除される。キャップは、キャップロックによる係止が解除されることで、開放状態までの開放が可能となる。
このように、上記構成のキャップ付きコネクタは、キャップロックを引き上げるという引き上げ方向の動作を含む開放操作を操作者が意図的にしなければ、キャップを開くことができない。従って、上記構成のキャップ付きコネクタでは、不用意に物品等がキャップロックに接触しても、キャップに対するキャップロックの係止を解除するためにはキャップロックを引き上げる方向の力が必要なので、キャップが意図せず開くことはない。
【０００９】
（２）  上記（１）の構成のキャップ付きコネクタであって、前記引き上げ方向と反対の方向にキャップロックバネにより弾性付勢された前記キャップロックが、前記キャップロックバネの弾性付勢力に抗して引き上げられた状態から前記引き上げ方向と異なる方向へ開放操作されることによって、前記開閉端との係止が解除されることを特徴とするキャップ付きコネクタ。
【００１０】
上記（２）の構成のキャップ付きコネクタによれば、キャップロックは、キャップロックバネの弾性付勢力に抗して引き上げられた状態から更に、引き上げ方向と異なる方向へ開放操作しなければキャップを開くことができない。そこで、意図せずにキャップが開いてしまうことを更に確実に防止することができる。
【００１１】
（３）  上記（２）の構成のキャップ付きコネクタであって、前記コネクタハウジングには、前記キャップロックを前記引き上げ方向に摺動ガイドするガイド壁が形成されるとともに、前記ガイド壁に離間して前記相手コネクタ結合面と平行なガイドピンが設けられ、
前記キャップロックには、前記引き上げ方向に沿って所定長さ延設されて前記ガイドピンと係合する長穴が形成され、
前記引き上げ方向と反対側における前記長穴の長穴下端部と前記キャップロックのキャップロック下端面との間のガイド壁対向部には、前記ガイド壁と前記ガイドピンのピン中心までの距離を半径とする円弧の内側となる回転規制解除面が形成されることによって、
前記キャップロックは、前記長穴下端部が前記ガイドピンに一致したときに、前記開閉端との係止が解除される方向に回転可能となることを特徴とするキャップ付きコネクタ。
【００１２】
上記（３）の構成のキャップ付きコネクタによれば、キャップロックは、ガイド壁に摺接しつつ、長穴がガイドピンに係合されて引き上げ方向にスライドする。キャップロックは、長穴下端部がガイドピンに一致する位置までスライドされたとき、ガイド壁と対向する回転規制解除面の旋回軌跡が、ガイド壁とガイドピンのピン中心までの距離を半径とする円弧の内側となり、キャップの開閉端との係止が解除される方向に回転可能となる。これにより、上記構成のキャップ付きコネクタでは、長穴下端部がガイドピンと一致する位置までキャップロックが引き上げられなければ、キャップロックを解除方向に回転しようとしても、キャップロックのガイド壁対向部がガイド壁に接触して回転が規制されるので、キャップロックの解除が阻止される。即ち、キャップロックは、ガイド壁対向部に切欠形状等の簡単な形状の回転規制解除面を形成するのみの簡素な構造で、回転を規制及び回転を規制解除可能にできる。
【００１３】
（４）  上記（２）又は（３）の構成のキャップ付きコネクタであって、前記キャップが、キャップバネによって開放される方向に弾性付勢されることを特徴とするキャップ付きコネクタ。
【００１４】
上記（４）の構成のキャップ付きコネクタによれば、引き上げられたキャップロックは、キャップロックバネの付勢力によって自動で元の位置に戻される。キャップは、この状態で閉められても、キャップロックが回転しないため、閉止状態とならない。キャップを閉止状態とするには、キャップロックを引き上げ、キャップの開閉端と当たらない位置に回転させて退避位置とする。その状態でキャップを閉めた後、キャップロックから手指を離せば、キャップロックバネによってキャップロックがキャップを係止し、キャップが確実に閉止状態となる。すなわち、キャップは、未ロック状態や半ロック状態となることがない。これにより、上記構成のキャップ付きコネクタでは、未ロック状態や半ロック状態でキャップが閉止状態となることはなく、例えばキャップの閉止状態を検出するためのセンサ等の誤検出が防止される。
【発明の効果】
【００１５】
本発明に係るキャップ付きコネクタによれば、物品等が接触して意図せずにキャップが開くことを防止できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るキャップ付きコネクタのキャップ開放状態を示す斜視図である。
【図２】図１に示したキャップ付きコネクタの分解斜視図である。
【図３】図１に示したキャップ付きコネクタの支持軸と直交する面による断面図である。
【図４】図３の要部拡大図である。
【図５】図３のキャップロックが引き上げられた状態を示す動作説明図である。
【図６】図１に示したキャップ付きコネクタのキャップロックが回転された状態を示す動作説明図である。
【図７】図６のキャップ付きコネクタのキャップが開放された状態を示す動作説明図である。
【図８】キャップロックが引き上げられない状態でキャップが閉められたキャップ付きコネクタの動作説明図である。
【図９】従来の車両側コネクタのロック片支持軸と直交する面による断面図である。
【発明を実施するための形態】
【００１８】
以下、本発明に係る実施形態を図面を参照して説明する。
図１及び図２に示すように、本発明の一実施形態に係るキャップ付きコネクタ１１は、コネクタハウジング１３と、キャップ１５と、キャップロック１９と、を主要な構成として有する。キャップ付きコネクタ１１は、例えば、ハイブリッド車や電気自動車などの車両に装着される。特に、キャップ付きコネクタ１１は、例えば自動車のトランクルームに給電コネクタとして好適に設けられる。
【００１９】
キャップ付きコネクタ１１は、高電圧の電力を取り扱うため、給電を行わない時には給電器側コネクタ等（図示略）と結合する相手コネクタ結合面２１を覆うキャップ１５がコネクタハウジング１３に開閉可能に設けられている。キャップ付きコネクタ１１は、「給電コネクタ」と称すこともできる。
【００２０】
キャップ付きコネクタ１１のコネクタハウジング１３は、車両の取付穴（図示略）に取り付けられる四角形のフランジ部２３を有する。フランジ部２３の車室側には、円筒状のフード部２５が突設される。フード部２５は、取付穴の内方に挿入される側（車室と反対側）に、複数の筒状の電線導出部２７が突出される。この電線導出部２７には、バッテリから延びる電線（図示略）が挿通される。電線導出部２７に挿通された電線は、電線側端子金具（図示略）に導体が接続される。
【００２１】
一方、車室側のフード部２５の内方には、給電器側コネクタ等と接続される上記の電線側端子金具を収容する端子部２９が設けられる。フード部２５は、端子部２９を表出させる開口面が相手コネクタ結合面２１となる。キャップ付きコネクタ１１は、トランク等の車室に装着され、給電器側コネクタ等がコネクタハウジング１３に対して前方（図１の左斜め下方）から嵌合される。
【００２２】
キャップ１５は、コネクタハウジング１３に回転自在に設けられる。キャップ１５は、コネクタハウジング１３の相手コネクタ結合面２１と平行な支持軸３１を中心に回転自在に取り付けられ、コネクタハウジング１３の相手コネクタ結合面２１を開閉する。キャップ１５のフード部２５と対向する閉止面には、円環状のパッキン３３が取り付けられる。パッキン３３は、キャップ１５が閉められたとき、キャップ１５とフード部２５との間隙を密接状態とする。これにより、キャップ付きコネクタ１１は、キャップ１５が閉止された状態では、外部からフード部内方へ水等が浸入しにくくなっている。キャップ１５は、支持軸３１と反対側が、開閉端３５となる。
【００２３】
キャップ１５の開閉端３５は、円形状に形成されるキャップ本体３７から一部分が半径方向外側に突出して形成される。この開閉端３５は、キャップ１５が閉止状態となることで、キャップロック１９によってほぼ全体が覆われるようになっている。即ち、キャップ１５の閉止状態において、開閉端３５には他の物品等が引っ掛からないように構成されている。
【００２４】
図３に示すように、キャップ１５は、キャップバネ１７によって開方向に付勢される。キャップ１５がキャップバネ１７によって開方向に付勢されるのは、従来と同様である。キャップバネ１７には、例えばねじりコイルバネが用いられる。ねじりコイルバネは、支持軸３１に外挿され、回転方向の復元力を生じさせた状態で、一端がコネクタハウジング１３に当接され、他端がキャップ１５に当接される。これにより、キャップ１５は、常に開放状態の位置へ回転付勢（弾性付勢）されている。
【００２５】
キャップロック１９は、キャップ１５の支持軸３１と反対側におけるキャップ１５の開閉端３５に対応してコネクタハウジング１３に設けられる。支持軸３１と反対側のフード部２５の外周には、一対の平行な側板部３９（図１,２参照）が形成される。キャップロック１９は、この側板部３９の間に挟まれた状態で、端子部２９の突出方向（図４の上下方向）に沿ってスライド自在に支持される。
【００２６】
コネクタハウジング１３には、キャップロック１９をキャップ１５が開放される方向と同じ引き上げ方向に摺動ガイドするガイド壁４１が、一対の側板部３９の間に形成されている。
【００２７】
キャップロック１９は、例えば金属板を断面Ｕ字形状に折り曲げて形成される。すなわち、キャップロック１９は、一対のロック側板４３を連結板４５で接続した形状となる。キャップロック１９は、Ｕ字形状の開口側がコネクタハウジング１３に対向する向きで組み付けられる。キャップロック１９の連結板４５には、バネ用フック部４７が突設される（図４参照）。バネ用フック部４７には、後述のキャップロックバネ６５が引っ掛けられる。キャップロック１９は、バネ用フック部４７、キャップロックバネ６５をロック側板４３及び連結板４５によって包囲することで、他の物品等の引っ掛かりが発生しないように構成されている。
【００２８】
また、コネクタハウジング１３には、ガイド壁４１に離間して相手コネクタ結合面２１と平行なガイドピン４９が設けられる。このガイドピン４９は、一対の側板部３９を貫通して、側板部３９に両端が支持されている。
【００２９】
キャップロック１９には、ガイドピン４９と係合する長穴５１が形成されている。長穴５１は、キャップロック１９の引き上げ方向（図３の上方向）に沿って所定長さ延設されている。長穴５１は、短径方向（図３の左右方向）でガイドピン４９とがたつきなく係合する。長穴５１は、長径方向（図３の上下方向）でガイドピン４９に対するキャップロック１９の摺動（スライド）を所定長さ許容する。すなわち、キャップロック１９は、ガイド壁対向部５３をコネクタハウジング１３のガイド壁４１に摺接しながら、長穴５１により移動が許容される範囲（所定長さ内）でスライドが可能となっている。
【００３０】
キャップロック１９の引き上げ側の端部側面には、キャップ１５の開閉端３５を係止する係止部である係止凹部５５が形成される。この係止凹部５５は、一対のロック側板４３を切り欠くことによって形成されている。係止凹部５５は、開閉端３５を内方に収容する（係止する）ことで、キャップ１５の開放方向の移動を規制する。また、係止凹部５５は、開閉端３５を内方に収容することで、開閉端３５に他の物品等が引っ掛かりにくく構成されている。
【００３１】
図４及び図５に示すように、キャップロック１９の引き上げ方向と反対側における長穴５１の長穴下端部５９とキャップロック１９のキャップロック下端面６１との間のガイド壁対向部５３には、ガイド壁４１とガイドピン４９のピン中心Ｏまでの距離を半径ｒとする円弧Ｃの内側となる回転規制解除面５７が形成される。図５の図示例では、この円弧Ｃと、ガイド壁対向部５３とが交わる点Ｐ１と点Ｐ２との間に、回転規制解除面５７が形成される。
【００３２】
なお、キャップロック１９は、ガイド壁対向部５３の下端部に、上記円弧Ｃの外側に突出するストッパ６３が設けられてもよい。これにより、キャップロック１９は、円弧Ｃの外側に突出したストッパ６３がガイド壁４１に当接し、それ以上の回転が規制されることとなる。
【００３３】
このように、キャップロック１９は、ガイド壁４１に摺接しながら、且つガイドピン４９に係合する長穴５１によってスライド範囲が規制される。そして、キャップロック１９は、長穴５１の長穴下端部５９が、ガイドピン４９に一致したときに、開閉端３５との係止凹部５５の係止が解除される方向に所定の回転範囲で回転可能となる。
【００３４】
また、キャップ付きコネクタ１１は、キャップロック１９が、上記引き上げ方向と反対の方向にキャップロックバネ６５によって弾性付勢される。キャップロックバネ６５は、キャップロック１９とガイドピン４９とに張架される引っ張りバネによって構成されている。即ち、キャップロック１９は、このキャップロックバネ６５の弾性付勢力によって、キャップバネ１７の付勢力に抗してキャップ１５を引き上げ方向と反対の方向に付勢している。つまり、キャップロックバネ６５は、キャップ１５を開放するキャップバネ１７の付勢力よりも閉止する力が大きくなるように引っ張り力が設定されている。
【００３５】
次に、本実施形態に係るキャップ付きコネクタ１１の使用方法を説明する。
図３に示すように、キャップ付きコネクタ１１は、キャップ１５がコネクタハウジング１３の相手コネクタ結合面２１を塞いだ状態で閉止されている。この状態で、キャップ１５は、キャップロック１９に開閉端３５が係止（ロック）されて、開放が規制されている。
【００３６】
相手コネクタ結合面２１を開放するために、キャップ１５を開くには、先ず、図５に示すように、キャップロック１９を手指で摘んで引き上げる。キャップロックバネ６５の弾性付勢力に抗して引き上げられたキャップロック１９の長穴下端部５９がガイドピン４９に一致すると、キャップロック１９は、ガイド壁４１と対向する回転規制解除面５７の旋回軌跡が、ガイド壁４１とガイドピン４９のピン中心Ｏまでの距離を半径ｒとする円弧Ｃの内側となり、キャップ１５の開閉端３５との係止が解除される図５における時計回りに回転可能となる。
【００３７】
キャップ１５は、図６に示すように、引き上げられたキャップロック１９が開閉端３５との係止が解除される方向に回転されることで、係止凹部５５による開閉端３５の係止が解除され、図７に示すように、キャップバネ１７の付勢力によって開放位置まで自動で開放される。キャップロック１９は、キャップ１５が開放された後、手指を離すことで、キャップロックバネ６５の付勢力によって元の位置（図３に示した位置）に戻される。
【００３８】
給電器側コネクタ等との接続が終了した後、相手コネクタ結合面２１をキャップ１５で覆うには、先ず、キャップロック１９がキャップロックバネ６５の弾性付勢力に抗して引き上げられる。引き上げられたキャップロック１９は、図６に示すように、時計回りに回転され、係止凹部５５が開閉端３５と干渉しない退避位置とされる。その状態で、キャップ１５を手指で閉止する。閉止したキャップ１５を押さえたまま、キャップロック１９の引き上げを解除する。これにより、キャップロック１９は、キャップロックバネ６５の付勢力によって元の位置に戻ると同時に、係止凹部５５によってキャップ１５の開閉端３５を押下し、キャップ１５を閉止状態に保持する。
【００３９】
次に、上記した構成の作用を説明する。
本実施形態に係るキャップ付きコネクタ１１では、キャップ１５が支持軸３１を中心にキャップバネ１７の付勢力に抗して回転され、閉止状態となって、コネクタハウジング１３の相手コネクタ結合面２１が覆われる。閉止状態となったキャップ１５は、キャップロック１９によって開閉端３５が係止されることによって、開放が規制されて閉止状態に保持される。キャップロック１９は、キャップ１５が開放される方向と同じ引き上げ方向（開放開始時に、コネクタハウジング１３からキャップ１５が離反する方向）に引き上げられることで、係止凹部５５がキャップ１５の開閉端３５から離反する方向に回転可能となる。キャップロック１９は、係止凹部５５が開閉端３５から離反することによって、開閉端３５との係止が解除される。キャップ１５は、キャップロック１９による係止が解除されることで、キャップバネ１７の付勢力によって自動的に開放状態まで開放される。
【００４０】
このように、キャップ付きコネクタ１１は、キャップロック１９を引き上げるという引き上げ方向の動作を含む開放操作を操作者が意図的にしなければ、キャップ１５を開くことができない。従って、キャップ付きコネクタ１１では、不用意に車室内で物品等がキャップロック１９に接触しても、キャップ１５に対するキャップロック１９の係止を解除するためにはキャップロック１９を引き上げる方向の力が必要なので、キャップ１５が意図せず開くことはない。
【００４１】
更に、本実施形態のキャップ付きコネクタ１１では、キャップロック１９は、キャップロックバネ６５の弾性付勢力に抗して引き上げられた状態から更に、引き上げ方向と異なる方向へ開放操作しなければキャップ１５を開くことができない。そこで、意図せずにキャップ１５が開いてしまうことを更に確実に防止することができる。
【００４２】
また、本実施形態のキャップ付きコネクタ１１では、キャップロック１９は、ガイド壁４１に摺接しつつ、長穴５１がガイドピン４９に係合されて引き上げ方向にスライドする。キャップロック１９は、長穴下端部５９がガイドピン４９に一致する位置までスライドされたとき（引き上げられたとき）、ガイド壁４１と対向する回転規制解除面５７の旋回軌跡が、ガイド壁４１とガイドピン４９のピン中心Ｏまでの距離を半径ｒとする円弧Ｃの内側となり、キャップ１５の開閉端３５との係止が解除される方向に回転可能となる。これにより、キャップ付きコネクタ１１では、長穴下端部５９がガイドピン４９と一致する位置までキャップロック１９が引き上げられなければ、キャップロック１９を解除方向に回転しようとしても、キャップロック１９のガイド壁対向部５３がガイド壁４１に接触して、回転が規制されるので、キャップロック１９の解除が阻止される。即ち、キャップロック１９は、ガイド壁対向部５３に切欠形状等の簡単な形状の回転規制解除面５７を形成するのみの簡素な構造で、回転を規制及び回転を規制解除可能にできる。
【００４３】
図８はキャップロック１９が引き上げられないでキャップ１５が閉められたキャップ付きコネクタ１１の動作説明図である。
本実施形態のキャップ付きコネクタ１１では、引き上げられたキャップロック１９は、キャップロックバネ６５の付勢力によって自動で元の位置（引き上げられる前の位置）に戻される。キャップ１５は、この状態で閉められても、キャップロック１９が回転しないため、閉止状態とならない。キャップ１５を閉止状態とするには、キャップロック１９を引き上げ、キャップ１５の開閉端３５と当たらない位置に回転させて退避位置とする。その状態でキャップ１５を閉めた後、キャップロック１９から手指を離せば、キャップロックバネ６５によってキャップロック１９がキャップ１５を係止し、キャップ１５が確実に閉止状態となる。すなわち、キャップ１５は、未ロック状態や半ロック状態でキャップ１５が閉止状態となることはない。
これにより、例えば、キャップ１５の閉止状態を検出するためのセンサ（図示略）がキャップ付きコネクタ１１に設けられた際には、未ロック状態や半ロック状態でセンサがキャップ１５を閉止状態として検出する誤検出が防止される。
【００４４】
従って、本実施形態に係るキャップ付きコネクタ１１によれば、物品等が接触して意図せずにキャップ１５が開くことを防止できる。
【００４５】
ここで、上述した本発明に係るキャップ付きコネクタの実施形態の特徴をそれぞれ以下に簡潔に纏めて列記する。
［１］  コネクタハウジング（１３）と、
前記コネクタハウジング（１３）に支持された支持軸（３１）を中心に回転自在に取り付けられ、前記コネクタハウジング（１３）の相手コネクタ結合面（２１）を開閉するキャップ（１５）と、
前記支持軸（３１）と反対側における前記キャップ（１５）の開閉端（３５）に対応して前記コネクタハウジング（１３）に設けられ、前記開閉端（３５）を係止して前記キャップ（１５）を閉止状態に保持するとともに、少なくとも前記キャップ（１５）が開放される方向と同じ引き上げ方向の動作を含む開放操作によって前記開閉端（３５）との係止が解除されるキャップロック（１９）と、
を備えることを特徴とするキャップ付きコネクタ（１１）。
［２］  上記［１］に記載のキャップ付きコネクタ（１１）であって、
前記引き上げ方向と反対の方向にキャップロックバネ（６５）により弾性付勢された前記キャップロック（１９）が、前記キャップロックバネ（６５）の弾性付勢力に抗して引き上げられた状態から前記引き上げ方向と異なる方向へ開放操作されることによって、前記開閉端（３５）との係止が解除されることを特徴とするキャップ付きコネクタ（１１）。
［３］  上記［２］に記載のキャップ付きコネクタ（１１）であって、
前記コネクタハウジング（１３）には、前記キャップロック（１９）を前記引き上げ方向に摺動ガイドするガイド壁（４１）が形成されるとともに、前記ガイド壁（４１）に離間して前記相手コネクタ結合面（２１）と平行なガイドピン（４９）が設けられ、
前記キャップロック（１９）には、前記引き上げ方向に沿って所定長さ延設されて前記ガイドピン（４９）と係合する長穴（５１）が形成され、
前記引き上げ方向と反対側における前記長穴（５１）の長穴下端部（５９）と前記キャップロック（１９）のキャップロック下端面（６１）との間のガイド壁対向部（５３）には、前記ガイド壁（４１）と前記ガイドピン（４９）のピン中心（Ｏ）までの距離を半径（ｒ）とする円弧（Ｃ）の内側となる回転規制解除面（５７）が形成されることによって、
前記キャップロック（１９）は、前記長穴下端部（５９）が前記ガイドピン（４９）に一致したときに、前記開閉端（３５）との係止が解除される方向に回転可能となることを特徴とするキャップ付きコネクタ（１１）。
［４］  上記［２］または［３］に記載のキャップ付きコネクタ（１１）であって、
前記キャップ（１５）が、キャップバネ（１７）によって開放される方向に弾性付勢されることを特徴とするキャップ付きコネクタ（１１）。
【００４６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４７】
１１…キャップ付きコネクタ
１３…コネクタハウジング
１５…キャップ
１７…キャップバネ
１９…キャップロック
２１…相手コネクタ結合面
３１…支持軸
３５…開閉端
４１…ガイド壁
４９…ガイドピン
５１…長穴
５５…係止凹部（係止部）
５３…ガイド壁対向部
５７…回転規制解除面
５９…長穴下端部
６１…キャップロック下端面
６５…キャップロックバネ
Ｃ…円弧
Ｏ…ピン中心
ｒ…半径
【図１】
2016207394.tif 000003
【図２】
2016207394.tif 000004
【図３】
2016207394.tif 000005
【図４】
2016207394.tif 000006
【図５】
2016207394.tif 000007
【図６】
2016207394.tif 000008
【図７】
2016207394.tif 000009
【図８】
2016207394.tif 000010
【図９】
2016207394.tif 000011